(57)【特許請求の範囲】
【請求項１】
液剤を被塗布面に塗布する塗布具であって、
内部が前記液剤を収容する液剤収容室とされると共に、液剤収容室内の液剤を流出させる液剤流出孔が頂面に形成された有頂筒状の本体部と、
前記液剤流出孔を覆うように前記本体部に取り付けられ、流出された前記液剤を浸潤によって保持すると共に表面が塗布面とされた液剤保持部材と、
前記液剤流出孔を開閉可能に設けられ、前記液剤保持部材を前記被塗布面に押し付けたときに液剤流出孔を開状態にする弁体と、
前記塗布面の一部を覆うように設けられ、多数の突起部が表面に形成された被覆板と、を備えていることを特徴とする塗布具。
【請求項２】
請求項１に記載の塗布具において、
前記被覆板は、前記塗布面を平面視したときに前記弁体上から外れた位置に設けられていることを特徴とする塗布具。
【発明の詳細な説明】
【技術分野】
【０００１】
本発明は、容器の口部側に取り付けられ、液剤を被塗布面に直接塗布する塗布具に関するものである。
【背景技術】
【０００２】
この種の塗布具は、液剤の種類に応じていくつか提供されているが、一般的にスポンジ状の塗布部を有しており、該塗布部に液剤を適宜含ませることができるようになっている。そのため、塗布部を被塗布面に軽く押し付けることで、含ませておいた液剤を被塗布面に直接塗布できるようになっている。
【特許文献１】実公昭５１−４７５６２号公報
【発明の開示】
【発明が解決しようとする課題】
【０００３】
ところで、液剤の種類によっては、該液剤を被塗布面に単に塗布するのではなく液剤をより効果的に作用させるために、被塗布面に何らかの処置を施す場合がある。例えば、液剤が接着剤、糊やマニキュア等の場合には、液剤の接着時を高めるために、被塗布面を事前に荒らしておくことがある。また、液剤が育毛剤の場合には、液剤の効能を有効に発揮させるために、被塗布面に刺激を与えることがある。このように、液剤の種類に応じて塗布面に何らかの処置を施す場合があった。
【０００４】
しかしながら、従来の塗布具は、液剤を単に被塗布面に塗布するだけのものであるので、塗布面を荒らしたり、塗布面に刺激を与えたりする等の何らかの処置を施す場合には、直接手を使用せざるを得なかった。そのため、手が液剤で汚れてしまったり、液剤が手で拭われて除去されてしまったりする等の不都合があった。
特に、塗布した液剤が除去され易いので、再度液剤を塗布し直す必要があった。よって、二度手間になるうえ、液剤の減りを早めてしまうものであった。
【０００５】
この発明は、このような事情を考慮してなされたもので、その目的は、液剤を被塗布面に塗布する前後或いは塗布している最中に、手の汚れや液剤の除去を極力招くことなく、液剤の種類に応じて適切な処置を速やかに被塗布面に対して施すことができる取り扱い性に優れた塗布具を提供することである。
【課題を解決するための手段】
【０００６】
上記の目的を達成するために、この発明は以下の手段を提供している。
本発明に係る塗布具は、液剤を被塗布面に塗布する塗布具であって、内部が前記液剤を収容する液剤収容室とされると共に、液剤収容室内の液剤を流出させる液剤流出孔が頂面に形成された有頂筒状の本体部と、前記液剤流出孔を覆うように前記本体部に取り付けられ、流出された前記液剤を浸潤によって保持すると共に表面が塗布面とされた液剤保持部材と、前記液剤流出孔を開閉可能に設けられ、前記液剤保持部材を前記被塗布面に押し付けたときに液剤流出孔を開状態にする弁体と、前記塗布面の一部を覆うように設けられ、多数の突起部が表面に形成された被覆板と、を備えていることを特徴とする。
【０００７】
この発明に係る塗布具においては、液剤を被塗布面に塗布する動作と、被塗布面に対して液剤の種類に応じた適切な処置を施す動作とを適宜切り替えながら使用することができる。
まず、被塗布面に液剤を塗布する場合には、液剤保持部材の塗布面を被塗布面に当てた状態で液剤保持部材を押し付ける。すると、弁体が液剤流出孔を開状態にするので、液剤収容室内に収容されている液剤が液剤流出孔から外部に流出する。すると、流出した液剤は、本体部と液剤保持部材との間に流れ込むと共に、該液剤保持部材に浸潤して保持される。そして、保持された液剤は、液剤保持部材から染み出るように被塗布面に塗布される。その結果、被塗布面に対して液剤を塗布することができる。
なお、液剤保持部材には液剤が浸潤によって保持されているので、塗布面を軽く被塗布面に当てることで、少量の液剤を塗布することも可能である。
【０００８】
ところで、塗布面の一部には多数の突起部が形成された被覆板が同一面内に形成されているので、被塗布面に液剤を塗布する前後、或いは、塗布している最中に、本体部を傾けることで速やかに被覆板の表面を被塗布面に当てることができる。そのため、多数の突起部を利用して被塗布面に対して、液剤の種類に応じた適切な処置を施すことができる。例えば、液剤の接着性を高めるために多数の突起部を利用して被塗布面を荒らしたり、既に塗布した液剤の効能を有効に発揮させるために多数の突起部を利用して被塗布面に適度な刺激を与えたりする等の適切な処置を施すことができる。
【０００９】
このように、傾きを変えるだけの僅かなことで、液剤を塗布する動作から、被塗布面に何らかの処置を施す動作に速やかに切り替えることができるので、非常に使い易く、取り扱い性に優れている。
特に、多数の突起部を利用するので、手を使用せざるを得なかった従来とは異なり、既に塗布した液剤を拭って除去してしまう可能性が低い。よって、液剤を再度塗布する二度手間をなくすことができるうえ、液剤を無駄に使用してしまうことを防止することができる。また、手に液剤が付着して汚れてしまう不都合もない。
【００１０】
また、本発明に係る塗布具は、上記本発明の塗布具において、前記被覆板が、前記塗布面を平面視したときに前記弁体上から外れた位置に設けられていることを特徴とする。
【００１１】
この発明に係る塗布具においては、塗布面を平面視したときに被覆板が弁体上から外れた位置に形成されているので、被塗布面に液剤を塗布する動作から多数の突起部を利用して被塗布面に何らかの処置を施す動作に切り替える際（或いは逆の動作に切り替える際）に、傾きを最少限変えるだけで瞬時にしかも明確に切り替えることができる。
【００１２】
つまり、塗布面を平面視したときに被覆板が弁体上から外れた位置に形成されているので、液剤を塗布する際、塗布面が被塗布面に対して平らに当たるように真っ直ぐ押し当てることができる。この際、被覆板が被塗布面に当たることがないので、塗布動作だけを確実に行うことができる。
そして、この状態から被塗布面に多数の突起部を利用して何らかの処置を施したい場合には、僅かに傾けるだけで被覆板を被塗布面に当てることができる。
このように、弁体と被覆板との位置関係が明確になっているので、塗布動作と処置を施す動作とを瞬時にしかも明確に切り替えることができる。従って、使い易さをさらに向上することができる。しかも、動作を瞬時に切り替えることができるので、例えば塗布したばかりの新しい液剤の効能を速やかに発揮させるといったことが可能である。加えて、多数の突起部を利用して被塗布面に何らかの処置を施している最中に、塗布面が押圧されないので、弁体が誤って開状態になり難い。よって、液剤を無駄に流出させてしまうことを防止することができる。
【発明の効果】
【００１３】
本発明に係る塗布具によれば、被塗布面に液剤を塗布する前後、或いは、塗布している最中に、必要に応じて、液剤の種類に応じた適切な処置を速やかに被塗布面に対して施すことができる。特に、傾きを変えるだけの僅かなことで、塗布する動作から処置を施す動作に切り替えることができるので、取り扱い性に非常に優れている。しかも、手の汚れや既に塗布した液剤を極力除去することなく、適切な処置を施すことができる。
【発明を実施するための最良の形態】
【００１４】
以下、本発明に係る塗布具の一実施形態について、図１から図４を参照して説明する。
本実施形態の塗布具１は、図１に示すように、容器２の口部側に取り付けられて使用されるものであり、容器２内に貯留された液剤Ｗを被塗布面Ｘに塗布するものである。なお、本実施形態では、液剤Ｗを育毛剤とし、被塗布面Ｘを頭皮と想定して説明する。
【００１５】
容器２は、図１に示すように、樹脂材料等により形成されており、手で握ったときにフィットするように滑らかな曲線を描くように外形が形成されている。容器２の内部には、液剤Ｗが貯留されている。また、容器２の口部の外周面には、図示しないキャップを取り付けるための雄ねじ２ａが形成されている。これにより、未使用時等にキャップを捩じ込んで固定することができ、塗布具１に蓋をすることができるようになっている。
【００１６】
塗布具１は、内部が液剤Ｗを収容する液剤収容室Ｈとされた本体部３と、収容された液剤Ｗを流出させる液剤流出孔４と、流出された液剤Ｗを浸潤によって保持すると共に表面が塗布面５ａとされたスポンジ体（液剤保持部材）５と、液剤流出孔４を開閉する弁体６と、多数の突起部７が表面に形成された被覆板８と、を主に備えている。
【００１７】
本体部３は、外側筒１０と内側筒１１とが組み合わさって有頂筒状に構成された部材であり、容器２の口部に嵌り込んだ状態で固定されている。
外側筒１０は、樹脂材料等を例えば射出成形により有底筒状に形成されたものであって、底面を容器２側に向けた状態で、容器２の口部内に嵌合固定されている。この際、外側筒１０の外周面に形成された鍔部１０ａが、口部の端部に当接するまで外側筒１０が口部内に嵌り込んでいる。これにより、外側筒１０は、姿勢が安定して強固に固定されていると共に口部に対して位置決めがなされている。
また、外側筒１０の底面の略中心には、容器２側から液剤Ｗを流入させる流入孔１０ｂが形成されている。これにより、容器２を傾けた時に、容器２内に貯留されている液剤Ｗが流入孔１０ｂを介して外側筒１０の内部に流れ込むようになっている。
【００１８】
内側筒１１は、樹脂材料等を例えば射出成形により有頂筒状に形成されたものであって、頂面を外側に向けた状態で外側筒１０内に嵌合固定されている。この際、内側筒１１の外周面に形成された段部１１ａが、外側筒１０の鍔部１０ａに当接するまで内側筒１１が嵌り込んでいる。これにより、内側筒１１は、外側筒１０と同様に姿勢が安定して強固に固定されていると共に、外側筒１０に対して位置決めがなされている。
そして、これら内側筒１１と外側筒１０とで作り出される内部空間が、上記液剤収容室Ｈとして機能する。よって、流入孔１０ｂを介して外側筒１０の内部に流れ込んだ液剤Ｗは、この液剤収容室Ｈ内に一旦収容された状態となる。
【００１９】
また、内側筒１１の頂面の略中心には、液剤収容室Ｈ内に収容された液剤Ｗを流出させる上記液剤流出孔４が形成されている。なお、内側筒１１の頂面は、本体部３の頂面として機能している。
【００２０】
上記スポンジ体５は、シート状に形成されており、内側筒１１に形成された液剤流出孔４を覆うように本体部３に取り付けられている。具体的に説明すると、このスポンジ体５は、内側筒１１の全体を覆うように被せられた状態で、端部が内側筒１１とリング状の外筒１２との間に挟みこまれて固定されている。この外筒１２は、容器２の口部よりも若干外径が小さく形成されており、内側筒１１の外側に嵌め込まれた時に、外側筒１０の鍔部１０ａを内側に隠しながら口部の端部に当接するようになっている。そして、スポンジ体５を内側筒１１に被せた後、この外筒１２を嵌めこむことで、スポンジ体５を挟み込んで確実に固定できるようになっている。
【００２１】
スポンジ体５は、多孔質部材であるので、液剤流出孔４を介して流出されてきた液剤Ｗが浸潤によって保持されるようになっている。よって、このスポンジ体５を被塗布面Ｘに押し付けることで、浸潤した液剤Ｗを被塗布面Ｘに塗布できるようになっている。なお、スポンジ体５の表面は、液剤Ｗを塗布する塗布面５ａとされている。
【００２２】
ところで、上記外筒１２には、図１及び図２に示すように、塗布面５ａの一部を覆う被覆板８が一体的に形成されている。なお、図２は、図１に示す塗布具１を矢印Ａ方向から見た図である。
この被覆板８の表面は、スポンジ体５の塗布面５ａと略同一の面となっており、多数の突起部７が形成されている。この突起部７は、被塗布面Ｘに刺激を与える（被塗布面Ｘに対する適切な処置）ことで既に塗布された液剤Ｗの効能を有効に発揮させるためのものであり、例えば、ニトリルゴム（ＮＢＲ）、低密度ポリエチレン（ＬＤＰＥ）、直鎖状低密度ポリエチレン（ＬＬＤＰＥ）等の弾性変形可能な軟材質の材料で形成されている。
【００２３】
上記弁体６は、図１に示すように、内側筒１１の液剤流出孔４の中心と、外側筒１０の流入孔１０ｂの中心とを結ぶ軸線Ｌに沿って進退自在な状態で液剤流出孔４に挿通されている。
この弁体６は、樹脂材料等によって射出成形されたものであり、液剤流出孔４の内径よりも外径が若干小さい円筒部６ａと、該円筒部６ａの基端側から末広がり状に形成されたテーパ部６ｂと、テーパ部６ｂと外側筒１０の底面との間に配置されたばね部６ｃと、で一体的に形成されている。ばね部６ｃは、円筒部６ａ及びテーパ部６ｂをスポンジ体５に向けて常に付勢している。これにより、テーパ部６ｂは、液剤流出孔４を塞いで閉状態としている。この際、円筒部６ａの先端は、スポンジ体５の裏面に当接した状態となっている。
【００２４】
そして、スポンジ体５を被塗布面Ｘに押し付けた場合には、スポンジ体５の変形と共に円筒部６ａが押されて容器２側に移動するようになっている。これにより、テーパ部６ｂも連られて移動するので、液剤流出孔４から離間して、該液剤流出孔４を開状態にするようになっている。
このように弁体６は、液剤流出孔４を開閉する役割を果すと共に、スポンジ体５を被塗布面Ｘに押し付けたときに液剤流出孔４を開状態にする役割を果している。
【００２５】
ところで、本実態形態では、図２に示すように、スポンジ体５の塗布面５ａを平面視した時に被覆板８が弁体６上から外れた位置に形成されている。つまり、被覆板８は、スポンジ体５の中央部分から外れた位置に形成されており、弁体６とは重ならないようになっている。
【００２６】
次に、このように構成された塗布具１を利用して、被塗布面Ｘに液剤Ｗを塗布する場合と、被塗布面Ｘに刺激を与えて液剤Ｗの効能を有効に発揮させる場合とについて、図３及び図４を参照して説明する。
まず、被塗布面Ｘに液剤Ｗを塗布する場合には、容器２を手で把持して口部側が下側になるように逆さにする。この時点で、容器２内に貯留されている液剤Ｗが流入孔１０ｂを介して液剤収容室Ｈに流れ込み、該収容室Ｈ内に一旦収容される。この際、弁体６によって液剤流出孔４は閉じられているので、液剤収容室Ｈ内の液剤Ｗは液剤流出孔４から流れだしてしまうことはない。
【００２７】
そして、この状態から、図３に示すようにスポンジ体５の塗布面５ａを被塗布面Ｘに当てた状態でスポンジ体５を押し付ける。すると、スポンジ体５が凹むように変形して弁体６を容器２側に移動させる。これにより、円筒部６ａ及びテーパ部６ｂが容器２側に移動するので、液剤流出孔４が開状態になる。よって、液剤収容室Ｈ内に収容されている液剤Ｗが液剤流出孔４からスポンジ体５側に流出する。そして流出した液剤Ｗは、本体部３の内側筒１１とスポンジ体５との間に流れ込むと共に、スポンジ体５に浸潤して保持される。その結果、被塗布面Ｘに対して液剤Ｗを塗布することができる。
なお、スポンジ体５には液剤Ｗが浸潤によって保持されているので、塗布面５ａを軽く被塗布面Ｘに当てることで、少量の液剤Ｗを塗布することも可能である。
【００２８】
しかも、塗布面５ａを平面視したときに被覆板８が弁体６上から外れた位置に形成されているので、上述した液剤Ｗを塗布する動作を行っている際、塗布面５ａが被塗布面Ｘに対してほぼ平らに当たるように真っ直ぐ押し当てることができる。この際、被覆板８が被塗布面Ｘに当たることがないので、塗布動作だけを確実に行うことができる。
【００２９】
ところで、被塗布面Ｘに液剤Ｗを塗布した後、或いは、塗布している最中に容器２を傾けることで、図４に示すように速やかに被覆板８の表面を被塗布面Ｘに当てることができる。そのため、多数の突起部７を利用して被塗布面Ｘに適度な刺激を与えることができ、既に塗布した液剤Ｗの効能を有効に発揮させることができる。
特に、スポンジ体５の塗布面５ａと同一面内に被覆板８が形成されているので、傾きを変えるだけの僅かなことで、液剤Ｗを塗布する動作から必要に応じて被塗布面Ｘに刺激を与える動作に速やかに切り替えることができ、非常に使い易い。
【００３０】
また、多数の突起部７を利用して刺激を与えるので、手で直接被塗布面Ｘに刺激を与える場合とは異なり、既に塗布した液剤Ｗを拭って除去してしまう可能性が低い。よって、液剤Ｗを再度塗布する二度手間をなくすことができるうえ、液剤Ｗを無駄に使用してしまうことを防止することができる。また、手に液剤Ｗが付着して汚れてしまう不都合もない。
【００３１】
このように本実施形態の塗布具１によれば、被塗布面Ｘに液剤Ｗを塗布した後、或いは、塗布している最中に、必要に応じて速やかに被塗布面Ｘに刺激を与えて液剤Ｗの効能を有効に発揮させることができる。特に、傾きを変えるだけの僅かなことで被塗布面Ｘに刺激を与える動作に切り替えることができるので、使い易さに優れている。
【００３２】
しかも本実施形態では、被覆板８が弁体６上から外れた位置に形成されているので、被塗布面Ｘに液剤Ｗを塗布する動作から被塗布面Ｘに刺激を与える動作に切り替える際に、傾きを最少限変えるだけで瞬時にしかも明確に切り替えることができる。この点においても、使い易さに優れている。しかも、瞬時に動作を切り替えることができるので、塗布したばかりの新しい液剤Ｗの効能を速やかに発揮させることができる。
加えて、被覆板８を被塗布面Ｘに当てて多数の突起部７で刺激を与えている場合には、図４に示すように、弁体６が元の状態に戻って液剤流出孔４を閉状態にしている。そのため、刺激を与えている最中に、液剤Ｗを液剤収容室Ｈから無駄に流出させてしまうことを防止することができる。
【００３３】
なお、本発明の技術範囲は、上記実施形態に限定されるものではなく、本発明の趣旨を逸脱しない範囲において、種々の変更を加えることが可能である。
【００３４】
例えば、上記実施形態では、塗布面５ａを平面視したときに被覆板８を弁体６上から外れた位置に形成したが、このような位置関係に限定されるものではない。少なくとも塗布面５ａの一部を覆うのであれば、被覆板８は自由な位置に形成して構わない。
【００３５】
また、上記実施形態では、液剤Ｗを育毛剤、被塗布面Ｘを頭皮と想定し、多数の突起部７を利用して被塗布面Ｘに適度な刺激を与えることで液剤Ｗの効能を有効に発揮させる場合を例に挙げて説明したが、この場合に限定されるものではない。例えば、液剤Ｗとして接着剤、糊或いはマニキュア等を採用した場合には、多数の突起部７を利用して被塗布面Ｘを事前に荒らすことで、液剤Ｗの接着性を高めることができる。
このように本発明に係る塗布具１によれば、多数の突起部７を利用して、液剤Ｗの種類に応じた適切な処置を被塗布面Ｘに対して自在に施すことができる。
【図面の簡単な説明】
【００３６】
【図１】本発明に係る塗布具の一実施形態を示す図であって、塗布具が容器の口部側に設けられた容器全体の側面図（一部断面図）である。
【図２】図１に示す塗布具を矢印Ａ方向から見た図である。
【図３】図１に示す塗布具を利用して被塗布面に液剤を塗布している状態を示す図である。
【図４】図３に示す状態から塗布具を傾けて、多数の突起部を利用して被塗布面に刺激を与えている状態を示す図である。
【符号の説明】
【００３７】
Ｈ…液剤収容室
Ｗ…液剤
Ｘ…被塗布面
１…塗布具
３…本体部
４…液剤流出孔
５…スポンジ体（液剤保持部材）
５ａ…塗布面
６…弁体
７…突起部
８…被覆板
【図１】
0005173562.tif 000002
【図２】
0005173562.tif 000003
【図３】
0005173562.tif 000004
【図４】
0005173562.tif 000005